(57)【要約】【課題】簡単な構成で高い静音性を達成でき、さらに好適な例では抗菌効果をも得ることができる制振型シンクを提供する。【解決手段】双晶型の制振合金より構成されたシンク１であって、水道の水による音を低減させる効果を有するとともに、制振合金の組成によっては抗菌効果を有する。好ましくは、シンク１を構成する双晶型の制振合金を、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかから構成する。【選択図】図１
2006016808.tif 000002
【特許請求の範囲】
【請求項１】
双晶型の制振合金より構成されたシンクであって、水道の水による音を低減させる効果を有するとともに、制振合金の組成によっては抗菌効果をも有することを特徴とする制振型シンク。
【請求項２】
シンクを構成する双晶型の制振合金が、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかからなることを特徴とする請求項１記載の制振型シンク。
【請求項３】
双晶型の制振合金が、Ｃｕ−Ａｌ−Ｍｎ−Ｎｉ合金、または、Ｃｕ−Ａｌ−Ｍｎ−Ｃｏ合金であることを特徴とする請求項２記載の制振型シンク。
【請求項４】
双晶型の制振合金が、圧延加工と組織制御のために熱処理を施したあとプレス加工により、双晶を発生させて制振特性を有することを特徴とする請求項３記載の制振型シンク。
【発明の詳細な説明】
【技術分野】
【０００１】
本発明は、台所等において用いられるシンクであって、水道の水による音を低減させる効果と抗菌効果とを有する制振型シンクに関するものである。
【背景技術】
【０００２】
従来、台所等において用いられるシンクは種々の構成のものが知られている。種々のシンクのうち、水を流したときに大きな音が立たないようにするため、および、耐水性や断熱性を向上させるため、シンクとして積層構造の複合板を使用する例が知られている（例えば、特許文献１参照）。
【特許文献１】特開２０００−９６６４８号公報
【発明の開示】
【発明が解決しようとする課題】
【０００３】
上述した構造の従来のシンクでは、水を流したときに大きな音が立つことなく、耐水性や断熱性に優れたシンクを得ることができるが、構造が複雑となるとともに、近年要望が高い、より高い静音性への要望をクリアするためには、騒音を低減する効果が十分でなかった。
【０００４】
本発明の目的は上述した問題点を解消して、簡単な構成で高い静音性を達成でき、さらに好適な例では抗菌効果をも得ることができる制振型シンクを提供しようとするものである。
【課題を解決するための手段】
【０００５】
本発明の制振型シンクは、双晶型の制振合金より構成されたシンクであって、水道の水による音を低減させる効果を有するとともに、制振合金の組成によっては抗菌効果をも有することを特徴とするものである。
【０００６】
また、本発明の制振型シンクの好適例としては、シンクを構成する双晶型の制振合金が、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかからなること、双晶型の制振合金が、Ｃｕ−Ａｌ−Ｍｎ−Ｎｉ合金、または、Ｃｕ−Ａｌ−Ｍｎ−Ｃｏ合金であること、及び、双晶型の制振合金が、圧延加工と組織制御のために熱処理を施したあとプレス加工により、双晶を発生させて制振特性を有すること、がある。
【発明の効果】
【０００７】
本発明の制振型シンクによれば、シンクを双晶型の制振合金より構成したことにより、音及び振動の発生を根本から除くことができる。その結果、シンクの制振性能を高めることができ、音や振動を抑え、近年要望されている厳しい静音性の条件を達成することができる。また、双晶型の制振合金としてＣｕ系の合金を用いた場合は、上記効果に加えて高い抗菌効果を得ることができる。
【発明を実施するための最良の形態】
【０００８】
図１は本発明の制振型シンクの一例を説明するための図である。図１に示す例において、キッチンシンク１は化粧板２に取り付けられている。キッチンシンク２の下側の空間には、上水流配管３、止水栓４、ホース５が設けられている。そして、上水流配管３を、止水栓４、ホース５を介して、化粧板２上に設けた蛇口６に連結している。本発明の特徴は、上述したキッチンシンク１の材質を双晶型の制振合金から構成した点である。以下、双晶型の制振合金について説明する。
【０００９】
本発明の制振型シンクで用いる制振合金としては、従来知られているいずれの制振合金をも使用することができるが、その中でも、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかを用いることが好ましい。
【００１０】
また、上述した種々の制振合金の中でも、本発明の制振型シンクで使用する制振合金としては、Ｃｕ−Ａｌ−Ｍｎ−Ｎｉ合金、Ｃｕ−Ａｌ−Ｍｎ−Ｃｏ合金を用いることがさらに好ましい。その理由は、まず、Ｃｕ−Ａｌ−Ｍｎ−Ｎｉ合金及びＣｕ−Ａｌ−Ｍｎ−Ｃｏ合金とも、制振効果が高いことにある。また、Ｃｕ−Ａｌ−Ｍｎ−Ｎｉ合金及びＣｕ−Ａｌ−Ｍｎ−Ｃｏ合金とも、剛性が高いので、他の制振合金を使用する場合に、他の制振合金に対して例えば１／２の厚さと厚さを薄く軽量化しても、他の制振合金の場合と同じ強度を得ることができることにある。さらに、耐食性が高いので、耐食性の低い制振合金では必須であった表面のめっきが不要になることにある。さらにまた、Ｃｕ系合金であるため、高い抗菌効果をも得ることができることにある。
【００１１】
さらに、上述した種々の制振合金の中でも、特にＮｉを含有する制振合金では、制振合金を板材として製造する際の圧延方向によって制振特性が変わる異方性を示す。例えば、圧延方向が４５度の場合制振性能が最大となるといった異方性を示す。そのため、使用する制振合金にＮｉが含有されている場合は、圧延方向による異方性の状態を予め把握し、本発明の制振型シンクに用いることが好ましい。なお、双晶は、各合金に対し熱処理として９００℃で溶体化後に急冷してベータ単相として利用することが好ましい。
【００１２】
図２は本発明の制振型シンクの他の例を説明するための図である。図２に示す例においては、キッチンシンク１の裏側に、キッチンシンク１と同じ材質の制振合金より構成したリブ１１を設けている。このように格子状のリブ１１を設けることで、キッチンシンク１の強度を格段に高くすることができる。特に、制振合金としてＣｕ−Ａｌ−Ｍｎ−Ｎｉ合金またはＣｕ−Ａｌ−Ｍｎ−Ｃｏ合金を使用した場合、上述したように厚みを薄くでき、リブ１１を設けても従来の制振合金を用いたキッチンシンク１の厚みと同等程度とすることができるため、組み合わせとして最も好ましい。なお、上述した例ではリブ１１を格子状としたが、他の形状でも良いことは言うまでもない。
【００１３】
本発明の制振型シンクにおいて、例えば制振合金の板材からキッチンシンク１を作製する場合は、一般的にはプレス加工を行う。プレス加工により成形する際、制振合金には歪が付加される。このプレス加工により付加される歪は、双晶型の制振合金において、双晶の変形を促進する機能がある。そのため、歪の量を０．５〜１０％の範囲で制御して双晶の変形を最適化することで、より好適に本発明の制振型筐体を得ることができる。歪みの量を０．５〜１０％の範囲とすることが好ましいのは、この範囲で双晶が変形するため歪みなしより好適なためである。すなわち、制振合金において常温では全て双晶はランダムな方向に発生している。歪みを加えると双晶が一方向に揃い、振動が加わると、双晶が揃った方向に動きやすくなり、制振効果を得ることができる。
【産業上の利用可能性】
【００１４】
本発明の制振型シンクによれば、シンクを双晶型の制振合金より構成したことにより、音及び振動の発生を根本から除くことができる。そのため、シンクの制振性能を高めることができ、音や振動を抑え、近年要望されている厳しい静音性の条件を達成することができる。また、耐食性が高いのでめっきが不要となり、合金の有する黄金色が美的外観を提供することができる。さらに、双晶型の制振合金としてＣｕ系の合金を用いた場合は、上記効果に加えて高い抗菌効果を得ることができる。その結果、台所等において使用するシンクとして好適に使用することができる。
【図面の簡単な説明】
【００１５】
【図１】本発明の制振型シンクの一例を説明するための図である。
【図２】本発明の制振型シンクの他の例を説明するための図である。
【符号の説明】
【００１６】
１  キッチンシンク
２  化粧板
３  上水流配管
４  止水栓
５  ホース
６  蛇口
【図１】
2006016808.tif 000003
【図２】
2006016808.tif 000004